(57)【要約】【課題】電源供給を停止してよい時のみ表示部への電源供給を停止でき、しかも、特別なハードウェアを必要とすることなく、消費電力を削減可能な携帯情報端末及びその省電力制御方法を提供する。【解決手段】通話ポジションをとる可能性のある機能を保持し、当該機能が実行中であることを通知するタスク状態制御部１０３と、現在の音声出力先が少なくともレシーバ、スピーカ、外部機器のどれであるかを検知する音声出力先制御部１０４とを具備する。そして、現在通話ポジションをとる可能性のある機能が実行され、現在の音声出力先がレシーバの時にディスプレイ表示装置１０５への電源供給を停止し、それ以外の時には電源供給を停止しないように制御する。【選択図】図１
2011172069.tif 000002
【特許請求の範囲】
【請求項１】
表示部と、
前記表示部に電源を供給する手段と、
通話ポジションをとる可能性のある機能を保持し、当該機能が実行中であることを通知する手段と、
現在の音声出力先が少なくともレシーバ、スピーカ、外部機器のどれであるかを通知する手段と、
現在前記通話ポジションをとる可能性のある機能が実行され、且つ、前記現在の音声出力先がレシーバの時に前記表示部への電源供給を停止し、それ以外の時には電源供給を停止しないように制御する手段と、
を備えたことを特徴とする携帯情報端末。
【請求項２】
表示部と、
前記表示部に電源を供給する手段と、
通話ポジションをとる可能性のある機能を保持し、該当する機能が実行中であることを通知する手段と、
現在の音声出力先が少なくともレシーバ、スピーカ、外部機器のどれであるかを通知する手段と、
現在前記通話ポジションをとる可能性のある機能が実行される時に、現在の音声出力先に応じて前記表示部の電源供給停止までのタイマー値を設定し、前記表示部への電源供給を制御する制御手段と、
を備えたことを特徴とする携帯情報端末。
【請求項３】
前記制御手段は、現在の音声出力先が前記レシーバの時に前記表示部の画面停止までのタイマー値を最も短い値に設定し、それ以外の時にはそれよりも長いタイマー値を設定するか又は前記表示部の電源供給を停止しないことを特徴とする請求項２に記載の携帯情報端末。
【請求項４】
表示部と、前記表示部に電源を供給する手段とを有する携帯情報端末の省電力制御方法であって、
通知手段により、通話ポジションをとる可能性のある機能が実行中であることを通知する工程と、
通知手段により、現在の音声出力先が少なくともレシーバ、スピーカ、外部機器のどれであるかを検知する工程と、
制御手段により、現在前記通話ポジションをとる可能性のある機能が実行され、且つ、前記現在の音声出力先がレシーバの時に前記表示部への電源供給を停止し、それ以外の時には電源供給を停止しないように制御する工程と、
を含むことを特徴とする省電力制御方法。
【請求項５】
表示部と、前記表示部に電源を供給する手段とを有する携帯情報端末の省電力制御方法であって、
通知手段により、通話ポジションをとる可能性のある機能が実行中であることを通知する工程と、
通知手段により、現在の音声出力先が少なくともレシーバ、スピーカ、外部機器のどれであるかを検知する工程と、
制御手段により、現在前記通話ポジションをとる可能性のある機能が実行される時に、現在の音声出力先に応じて前記表示部の電源供給停止までのタイマー値を設定し、前記表示部への電源供給を制御する制御工程と、
を含むことを特徴とする省電力制御方法。
【請求項６】
前記制御工程において、現在の音声出力先が前記レシーバの時に前記表示部の画面停止までのタイマー値を最も短い値に設定し、それ以外の時にはそれよりも長いタイマー値を設定するか又は前記表示部の電源供給を停止しないことを特徴とする請求項５に記載の省電力制御方法。
【発明の詳細な説明】
【技術分野】
【０００１】
本発明は、携帯電話機等の携帯情報端末に関し、特に、消費電力を削減する省電力制御方法に関するものである。
【背景技術】
【０００２】
従来の携帯電話機では、省スペース化のため大容量のバッテリーを搭載できないが、一方で高機能化のため消費電力が増加する傾向にある。携帯電話機が高機能化してくると、バッテリー持続時間を確保するためには、適切な省電力制御が必要となり、種々の省電力化方法が提案されている。
【０００３】
例えば、特許文献１には、携帯電話機が待ち受け状態であったり、或いは通話状態にある時にその状態のまま所定時間が経過すると、バックライト部やＬＣＤ部への電源供給を停止することが記載されている。
【０００４】
また、特許文献２には、カメラ部で取得した画像に基づいて携帯電話機が使用者の耳近傍に配置されているかを検知し、携帯電話機が使用者の耳近傍に配置されている場合には、使用者は表示部を見ることはないことから、表示部の照明を停止又は減光することが記載されている。
【先行技術文献】
【特許文献】
【０００５】
【特許文献１】特開２００２−０９４６５８号公報
【特許文献２】特開２００７−２５９１３４号公報
【発明の概要】
【発明が解決しようとする課題】
【０００６】
特許文献１の方法では、待ち受け時や通話時に所定時間が経過すると、強制的に表示部の電源供給を停止してしまい、電源供給を停止すべきではない場合にも電源供給を停止してしまう。例えば、テレビ電話、メール機能等を使用しながら音声通話することがあるが、この場合にも電源供給を停止してしまう。
【０００７】
また、特許文献２の方法では、カメラ画像に基づいて携帯電話機が使用者の耳近傍に配置されているかを検知しているため、レシーバの近くにカメラが配置された携帯電話機にしか使用できない。また、カメラ画像を使用しているため、処理が複雑で電力を消費する等の課題がある。
【０００８】
本発明の目的は、電源供給を停止してよい時のみ表示部への電源供給を停止でき、しかも、特別なハードウェアを必要とすることなく、消費電力を削減可能な携帯情報端末及びその省電力制御方法を提供することにある。
【課題を解決するための手段】
【０００９】
本発明は、通話ポジションをとる可能性のある機能が実行中であることを通知する手段と、現在の音声出力先が少なくともレシーバ、スピーカ、外部機器のどれであるかを通知する手段とを具備し、現在、通話ポジションをとる可能性のある機能が実行され、且つ、現在の音声出力先がレシーバの時に表示部への電源供給を停止し、それ以外の時には電源供給を停止しないように制御する。
【００１０】
また、本発明は、通話ポジションをとる可能性のある機能が実行中であることを通知する手段と、現在の音声出力先が少なくともレシーバ、スピーカ、外部機器のどれであるかを通知する手段とを具備し、現在、通話ポジションをとる可能性のある機能が実行される時に、現在の音声出力先に応じて表示部の電源供給停止までのタイマー値を設定し、表示部への電源供給を制御する。
【発明の効果】
【００１１】
本発明によれば、アプリケーションの実行状況に応じてディスプレイ装置への画面表示時間を適切に制御することにより、近接センサ等の特別なハードウェアを追加することなく、省電力性能を向上させることが可能となる。また、表示部への電源供給を停止するかどうかを厳密に制御するため、確実に電源供給を停止してよい時のみ表示部への電源供給を停止することが可能となる。
【図面の簡単な説明】
【００１２】
【図１】本発明に係る携帯情報端末の一実施形態を示すブロック図である。
【発明を実施するための形態】
【００１３】
次に、発明を実施するための形態について図面を参照して詳細に説明する。図１は本発明に係る携帯情報端末としての携帯電話機の一実施形態を示すブロック図である。図中１０１は携帯電話機内の各部を制御するための制御機構である。図１では、通常、携帯電話機に搭載される無線通信部、アンテナ、各種キー等からなる操作部、データを記憶する記憶部、カメラ等は省略している。
【００１４】
制御機構１０１は、ＬＣＤ表示部等のディスプレイ装置１０５を制御する画面表示制御部１０２、タスク状態制御部１０３、音声出力先制御部１０４から構成されている。制御機構１０１は、後述するようにこれら各構成要素から通知された情報をもとにディスプレイ装置１０５の電源供給を停止するかの判断を行う。ディスプレイ装置１０５には図示しない電池から電源が供給されるが、制御機構１０１は画面表示制御部１０２を制御することでディスプレイ装置１０５への電源供給を制御する。
【００１５】
画面表示制御部１０２はディスプレイ装置１０５へのアプリケーション画面出力を制御する機能を有し、タスク状態制御部１０３は携帯電話機能の実行状況を通知する機能を有する。音声出力先制御部１０４は音声出力先が「レシーバ」、「スピーカ」、「外部機器」のどれであるかを通知する機能を有する。外部機器には、例えば、有線や無線（Ｂｌｕｅｔｏｏｔｈ）のヘッドセット等がある。
【００１６】
次に、本実施形態の動作について説明する。まず、ユーザが携帯電話機を使用する場合には表示画面を見ない状態で使用するケースがある。例えば、通話時には携帯電話機を耳と口に当てるため（通話ポジションという）、表示画面は視界の外になる。この場合には、画面表示をする必要性がないので画面表示を停止することで消費電力を抑制することが可能となるが、本実施形態では、特に、音声出力先が「レシーバ」の時のみ通話ポジションと判定する。
【００１７】
つまり、音声出力先が「スピーカ」や「外部機器」の場合には、テレビ電話、メール、ＷＥＢを使用しながら音声電話を行うケースがあり、この場合には画面表示を停止すべきではない。そのため、以下に説明するように、この通話ポジションを判断し、画面表示を停止することで省電力制御を行う。
【００１８】
次に、図１を用いて本実施形態の動作を具体的に説明する。まず、タスク状態制御部１０３は通話ポジションをとる可能性のある機能のリスト（例えば、通話機能、伝言メモ機能等がある）を保持しており、該当機能が実行中であるかどうかの情報を制御機構１０１に通知する。
【００１９】
音声出力先制御部１０４は現在の音声出力先が、「レシーバ」、「スピーカ」、「外部機器」のどれであるかを制御機構１０１へ通知する。制御機構１０１はタスク状態制御部１０３、音声出力制御部１０４から通知された情報に基づいて画面表示停止用のタイマー値を決定し、画面表示制御部１０４に通知する。
【００２０】
この時、制御機構１０１は、現在の実行する機能が「通話ポジションをとる可能性のある機能」であり、且つ、現在の音声出力先が「レシーバ」の場合に通話ポジションであると判断し、比較的短いタイマー値を選択する。例えば、「通話ポジションをとる可能性のある機能」が「通話機能」であり、現在の音声出力先が「レシーバ」の条件を満たす時にディスプレイ装置１０５への電源供給を停止するように比較的短いタイマー値を選択する。そのため、直ちにディスプレイ装置１０５への電源供給が停止される。これ以外の場合には比較的長いタイマー値を選択する。
【００２１】
本実施形態では、携帯電話機は高機能化により様々な使われ方をするので、確実な条件判定を行い、必要なシーンのみで省電力制御を実現するため、「通話ポジション」をとる可能性のある機能」と「レシーバ」の２つの条件を満たす場合のみディスプレイ装置１０５への電源供給を停止する。
【００２２】
音声入力機能を例にすると、「レシーバ」から流れるガイダンスを聞きながら音声を入力し、その音声認識結果を画面で逐次確認するケースがある。この場合には画面表示を停止すべきではないため、音声入力機能は、例外として、「通話ポジションをとる可能性のある機能」に含めない考慮が必要となる。
【００２３】
画面出力制御部１０２は、制御機構１０１から通知されたタイマー値を用い、このタイマー値がタイムアウトしたらディスプレイ装置１０５の画面表示の停止を行う。以上の制御により、通話ポジションをとるケースでは速やかに画面表示を停止させることが可能となり、消費電力を抑制することができる。また、ＣＰＵ等の汎用的処理を行うハードウェア以外の近接センサ（カメラ等を含む）の特別なハードウェアを必要とすることなく、省電力化を実現することが可能となる。
【００２４】
なお、以上の実施形態では、現在の音声出力先が「レシーバ」の場合に通話ポジションであると判断し、これ以外の場合には比較的長いタイマー値を選択すると説明したが、その場合には画面表示を停止しなくても良い。画面表示を停止させないのか、それとも比較的長いタイマー値を用いて画面表示を停止させるのかは、本質的には同じことを意味するため、省電力効果の程度とユーザの好み等に応じてカスタマイズ可能とするのが望ましい。
【符号の説明】
【００２５】
１０１  制御機構
１０２  画面表示制御部
１０３  タスク状態制御部
１０４  音声出力先制御部
１０５  ディスプレイ装置
１０６  レシーバ
１０７  スピーカ
１０８  外部機器
【図１】
2011172069.tif 000003